【手続補正書】
【提出日】平成22年11月9日(2010.11.9)
【手続補正１】
【補正対象書類名】明細書
【補正対象項目名】０００７
【補正方法】変更
【補正の内容】
【０００７】
請求項１記載の発明は、静止画撮像手段と、一連の静止画の撮像に係る複数のアドバイスデータを時系列的に記憶するアドバイス記憶手段と、上記静止画撮像手段での一連の静止画像の撮像中に、静止画像の撮像動作に応答して、上記アドバイス記憶手段に記憶される複数のアドバイスデータを順次切換えて出力させる出力制御手段とを具備したことを特徴とする。
請求項２記載の発明は、静止画撮像手段と、一連の静止画の撮像に係る複数のアドバイスデータを時系列的に記憶するアドバイス記憶手段と、上記静止画撮像手段での一連の静止画像の撮像中に、上記アドバイス記憶手段に記憶される複数のアドバイスデータを順次出力させると共に、現在出力されているアドバイスデータの全体における位置を示す位置データを出力する出力制御手段とを具備したことを特徴とする。
請求項３記載の発明は、静止画撮像手段と、一連の静止画の撮像に係る複数のアドバイスデータを時系列的に記憶するアドバイス記憶手段と、上記静止画撮像手段での一連の静止画像の撮像中に、上記アドバイス記憶手段に記憶される複数のアドバイスデータを順次出力させる出力制御手段と、静止画像の撮像を行わずに次のアドバイスデータへの切換えを指示する指示手段と、この指示手段により指示された回数を各アドバイスデータ毎にカウントする計数手段と、この計数手段によるカウント数が所定値以上となったアドバイスデータの出力を省略するように上記出力制御手段を設定する設定手段とを具備したことを特徴とする。
【手続補正２】
【補正対象書類名】明細書
【補正対象項目名】０００８
【補正方法】変更
【補正の内容】
【０００８】
請求項４記載の発明は、静止画を撮像する撮像装置の撮像補助方法であって、一連の静止画の撮像に係る複数のアドバイスデータを時系列的に記憶するアドバイス記憶工程と、一連の静止画像の撮像中に、静止画像の撮像動作に応答して、上記アドバイス記憶工程で記憶した複数のアドバイスデータを順次切換えて出力する出力工程とを有したことを特徴とする。
請求項５記載の発明は、静止画を撮像する撮像装置の撮像補助方法であって、一連の静止画の撮像に係る複数のアドバイスデータを時系列的に記憶するアドバイス記憶工程と、一連の静止画像の撮像中に、上記アドバイス記憶工程で記憶した複数のアドバイスデータを順次出力すると共に、現在出力しているアドバイスデータの全体における位置を示す位置データを出力する出力工程とを有したことを特徴とする。
【手続補正３】
【補正対象書類名】明細書
【補正対象項目名】０００９
【補正方法】変更
【補正の内容】
【０００９】
請求項６記載の発明は、静止画を撮像する撮像装置の撮像補助方法であって、一連の静止画の撮像に係る複数のアドバイスデータを時系列的に記憶するアドバイス記憶工程と、一連の静止画像の撮像中に、上記アドバイス記憶工程で記憶した複数のアドバイスデータを順次出力する出力工程と、静止画像の撮像を行わずに次のアドバイスデータへの切換えを指示する指示工程と、この指示工程により指示された回数を各アドバイスデータ毎にカウントする計数工程と、この計数工程によるカウント数が所定値以上となったアドバイスデータの出力を省略するように上記出力工程を設定する設定工程とを有したことを特徴とする。
【手続補正４】
【補正対象書類名】明細書
【補正対象項目名】００１０
【補正方法】変更
【補正の内容】
【００１０】
請求項７記載の発明は、静止画を撮像する撮像装置に内蔵されたコンピュータが実行するプログラムであって、一連の静止画の撮像に係る複数のアドバイスデータを時系列的に記憶するアドバイス記憶ステップと、一連の静止画像の撮像中に、静止画像の撮像動作に応答して、上記アドバイス記憶ステップで記憶した複数のアドバイスデータを順次切換えて出力する出力ステップとをコンピュータに実行させることを特徴とするプログラム。
請求項８記載の発明は、静止画を撮像する撮像装置に内蔵されたコンピュータが実行するプログラムであって、一連の静止画の撮像に係る複数のアドバイスデータを時系列的に記憶するアドバイス記憶ステップと、一連の静止画像の撮像中に、上記アドバイス記憶ステップで記憶した複数のアドバイスデータを順次出力すると共に、現在出力されているアドバイスデータの全体における位置を示す位置データを出力する出力ステップとをコンピュータに実行させることを特徴とする。
【手続補正５】
【補正対象書類名】明細書
【補正対象項目名】００１１
【補正方法】変更
【補正の内容】
【００１１】
請求項９記載の発明は、静止画を撮像する撮像装置に内蔵されたコンピュータが実行するプログラムであって、一連の静止画の撮像に係る複数のアドバイスデータを時系列的に記憶するアドバイス記憶ステップと、一連の静止画像の撮像中に、上記アドバイス記憶ステップで記憶した複数のアドバイスデータを順次出力する出力ステップと、静止画像の撮像を行わずに次のアドバイスデータへの切換えを指示する指示ステップと、この指示ステップにより指示された回数を各アドバイスデータ毎にカウントする計数ステップと、この計数ステップによるカウント数が所定値以上となったアドバイスデータの出力を省略するように上記出力ステップを設定する設定ステップとをコンピュータに実行させることを特徴とする。
【手続補正６】
【補正対象書類名】特許請求の範囲
【補正対象項目名】全文
【補正方法】変更
【補正の内容】
【特許請求の範囲】
【請求項１】
静止画撮像手段と、
一連の静止画の撮像に係る複数のアドバイスデータを時系列的に記憶するアドバイス記憶手段と、
上記静止画撮像手段での一連の静止画像の撮像中に、静止画像の撮像動作に応答して、上記アドバイス記憶手段に記憶される複数のアドバイスデータを順次切換えて出力させる出力制御手段と
を具備したことを特徴とする撮像装置。
【請求項２】
静止画撮像手段と、
一連の静止画の撮像に係る複数のアドバイスデータを時系列的に記憶するアドバイス記憶手段と、
上記静止画撮像手段での一連の静止画像の撮像中に、上記アドバイス記憶手段に記憶される複数のアドバイスデータを順次出力させると共に、現在出力されているアドバイスデータの全体における位置を示す位置データを出力する出力制御手段と
を具備したことを特徴とする撮像装置。
【請求項３】
静止画撮像手段と、
一連の静止画の撮像に係る複数のアドバイスデータを時系列的に記憶するアドバイス記憶手段と、
上記静止画撮像手段での一連の静止画像の撮像中に、上記アドバイス記憶手段に記憶される複数のアドバイスデータを順次出力させる出力制御手段と、
静止画像の撮像を行わずに次のアドバイスデータへの切換えを指示する指示手段と、
この指示手段により指示された回数を各アドバイスデータ毎にカウントする計数手段と、
この計数手段によるカウント数が所定値以上となったアドバイスデータの出力を省略するように上記出力制御手段を設定する設定手段と
を具備したことを特徴とする撮像装置。
【請求項４】
静止画を撮像する撮像装置の撮像補助方法であって、
一連の静止画の撮像に係る複数のアドバイスデータを時系列的に記憶するアドバイス記憶工程と、
一連の静止画像の撮像中に、静止画像の撮像動作に応答して、上記アドバイス記憶工程で記憶した複数のアドバイスデータを順次切換えて出力する出力工程と
を有したことを特徴とする撮像補助方法。
【請求項５】
静止画を撮像する撮像装置の撮像補助方法であって、
一連の静止画の撮像に係る複数のアドバイスデータを時系列的に記憶するアドバイス記憶工程と、
一連の静止画像の撮像中に、上記アドバイス記憶工程で記憶した複数のアドバイスデータを順次出力すると共に、現在出力しているアドバイスデータの全体における位置を示す位置データを出力する出力工程と
を有したことを特徴とする撮像補助方法。
【請求項６】
静止画を撮像する撮像装置の撮像補助方法であって、
一連の静止画の撮像に係る複数のアドバイスデータを時系列的に記憶するアドバイス記憶工程と、
一連の静止画像の撮像中に、上記アドバイス記憶工程で記憶した複数のアドバイスデータを順次出力する出力工程と、
静止画像の撮像を行わずに次のアドバイスデータへの切換えを指示する指示工程と、
この指示工程により指示された回数を各アドバイスデータ毎にカウントする計数工程と、
この計数工程によるカウント数が所定値以上となったアドバイスデータの出力を省略するように上記出力工程を設定する設定工程と
を有したことを特徴とする撮像補助方法。
【請求項７】
静止画を撮像する撮像装置に内蔵されたコンピュータが実行するプログラムであって、
一連の静止画の撮像に係る複数のアドバイスデータを時系列的に記憶するアドバイス記憶ステップと、
一連の静止画像の撮像中に、静止画像の撮像動作に応答して、上記アドバイス記憶ステップで記憶した複数のアドバイスデータを順次切換えて出力する出力ステップと
をコンピュータに実行させることを特徴とするプログラム。
【請求項８】
静止画を撮像する撮像装置に内蔵されたコンピュータが実行するプログラムであって、
一連の静止画の撮像に係る複数のアドバイスデータを時系列的に記憶するアドバイス記憶ステップと、
一連の静止画像の撮像中に、上記アドバイス記憶ステップで記憶した複数のアドバイスデータを順次出力すると共に、現在出力されているアドバイスデータの全体における位置を示す位置データを出力する出力ステップと
をコンピュータに実行させることを特徴とするプログラム。
【請求項９】
静止画を撮像する撮像装置に内蔵されたコンピュータが実行するプログラムであって、
一連の静止画の撮像に係る複数のアドバイスデータを時系列的に記憶するアドバイス記憶ステップと、
一連の静止画像の撮像中に、上記アドバイス記憶ステップで記憶した複数のアドバイスデータを順次出力する出力ステップと、
静止画像の撮像を行わずに次のアドバイスデータへの切換えを指示する指示ステップと、
この指示ステップにより指示された回数を各アドバイスデータ毎にカウントする計数ステップと、
この計数ステップによるカウント数が所定値以上となったアドバイスデータの出力を省略するように上記出力ステップを設定する設定ステップと
をコンピュータに実行させることを特徴とするプログラム。